【手続補正書】
【提出日】平成26年8月10日(2014.8.10)
【手続補正１】
【補正対象書類名】明細書
【補正対象項目名】０００１
【補正方法】変更
【補正の内容】
【０００１】
◆◆ｔｉｔｌｅ  ｏｆ  ｔｈｅ  ｉｎｖｅｎｔｉｏｎｓ◆◆
◆Ａ  ｍｕｌｔｉｖａｌｕｅ  ＮＯＴ−ｌｏｇｉｃ  ｔｗｏ−ｓｔａｇｅ  ｃｏｎｎｅｃｔｉｏｎ  ｍｅａｎｓ  ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”，
◆ａ  ｍｕｌｔｉｖａｌｕｅ  ‘ＮＯＴ−ｌｏｇｉｃ  ａｎｄ  ＥＶＥＮ−ｌｏｇｉｃ’  ｔｗｏ−ｓｔａｇｅ  ｃｏｎｎｅｃｔｉｏｎ  ｍｅａｎｓ  ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”，
◆ａ  ｍｕｌｔｉｖａｌｕｅ  ＥＶＥＮ−ｌｏｇｉｃ  ｔｗｏ−ｓｔａｇｅ  ｃｏｎｎｅｃｔｉｏｎ  ｍｅａｎｓ  ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”，
◆ａｎｄ  ａ  ｍｕｌｔｉｖａｌｕｅ  ‘ＥＶＥＮ−ｌｏｇｉｃ  ａｎｄ  ＮＯＴ−ｌｏｇｉｃ’  ｔｗｏ−ｓｔａｇｅ  ｃｏｎｎｅｃｔｉｏｎ  ｍｅａｎｓ  ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”．
■■■  要    約  ■■■
■■  課    題  ■■  日本生まれの新・多値論理、『フージ代数（Ｈｏｏｊｉ  ａｌｇｅｂｒａ）』の原則に基づいて新作用・新効果を持つ新・多値ＮＯＴ二段接続手段などを提供する。
◆◆ａｂｓｔｒａｃｔ◆◆
◆◇ｐｒｏｂｌｅｍ  ｔｏ  ｂｅ  ｓｏｌｖｅｄ◇◆
Ｔｈａｔ’ｓ  ｔｏ  ｃｒｅａｔｅ  ａ  ｎｅｗ  ｍｕｌｔｉｖａｌｕｅ  ＮＯＴ−ｌｏｇｉｃ  ｔｗｏ−ｓｔａｇｅ  ｃｏｎｎｅｃｔｉｏｎ  ｍｅａｎｓ  ｅｔｃ．  ｗｈｉｃｈ  ａｒｅ  ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”  ｔｏ  ｂｅ  ‘ａ  ｎｅｗ  ｍｕｌｔｉｖａｌｕｅ  ｌｏｇｉｃ  ｂｏｒｎ  ｉｎ  Ｊａｐａｎ’，ａｎｄ  ｗｈｉｃｈ  ｈａｓ  ｓｏｍｅ  ｎｅｗ  ｆｕｎｃｔｉｏｎｓ  ＆  ｎｅｗ  ｅｆｆｅｃｔｓ．
■■  解決手段  ■■  例：特定整数ｍの非同期型又は同期型の多値ＮＯＴ手段と特定整数Ｃｍ（≠ｍ）の非同期型又は同期型の多値ＮＯＴ手段を二段接続し、「前段の出力電位を後段の特定定電位ｖＣｍ（電源線ＶＣｍの電位）にプル・アップ又はダウンする第１プル抵抗」を接続し、「後段の出力電位を前段の特定定電位ｖｍ（電源線Ｖｍの電位）にプル・アップ又はダウンする第２プル抵抗」を接続する。
◆◇ｍｅａｎｓ  ｆｏｒ  ｓｏｌｖｉｎｇ  ｐｒｏｂｌｅｍ◇◆
Ｅｘａｍｐｌｅ：ｏｎｅ  ｏｆ  ｔｈｅ  ｉｎｖｅｎｔｉｏｎｓ  ｉｓ  ｃｏｎｓｔｒｕｃｔｅｄ  ｂｙ  ｔｈｅ  ｆｏｌｌｏｗｉｎｇ  ｔｈｒｅｅ  ｃｏｎｎｅｃｔｉｎｇｓ．
Ｆｉｒｓｔｌｙ  ｃｏｎｎｅｃｔｉｎｇ  ‘ａ  ｍｕｌｔｉｖａｌｕｅ  ＮＯＴ−ｌｏｇｉｃ  ｍｅａｎｓ  ｔｏ  ｈａｖｅ  ａ  ｓｐｅｃｉｆｉｃ ｉｎｔｅｇｅｒ  ｖａｌｕｅ（ｍ）’  ａｔ  ｔｈｅ  ｐｒｅｓｔａｇｅ  ｏｆ  ‘ａｎｏｔｈｅｒ  ｍｕｌｔｉｖａｌｕｅ  ＮＯＴ−ｌｏｇｉｃ  ｍｅａｎｓ  ｔｏ  ｈａｖｅ  ａｎｏｔｈｅｒ  ｓｐｅｃｉｆｉｃ ｉｎｔｅｇｅｒ  ｖａｌｕｅ｛Ｃｍ（≠ｍ）｝．Ｂｕｔ  ｅａｃｈ  ｍｅａｎｓ  ｉｓ  ｅｉｔｈｅｒ  ｕｎｓｙｎｃｈｒｏｎｏｕｓ−ｔｙｐｅ  ｏｒ  ｓｙｎｃｈｒｏｎｏｕｓ−ｔｙｐｅ．
Ｓｅｃｏｎｄｌｙ  ｃｏｎｎｅｃｔｉｎｇ  ａ  ｆｉｒｓｔ  ｒｅｓｉｓｔｏｒ  ｂｅｔｗｅｅｎ  ｔｈｅ  ｂｏｔｈ  ｍｅａｎｓ  ｓｏ  ｔｈａｔ  ｔｈｅ  ｆｉｒｓｔ  ｒｅｓｉｓｔｏｒ  ｍａｙ  ｐｕｌｌ  ‘ｔｈｅ  ｏｕｔｐｕｔ  ｅｌｅｃｔｒｉｃ  ｐｏｔｅｎｔｉａｌ  ｏｆ  ｔｈｅ  ｐｒｅｓｔａｇｅ  ｍｅａｎｓ’  ｕｐ  ｏｒ  ｄｏｗｎ  ｔｏ  ‘ｔｈｅ  ｓｐｅｃｉｆｉｃ  ｃｏｎｓｔａｎｔ  ｅｌｅｃｔｒｉｃ  ｐｏｔｅｎｔｉａｌ（ｖＣｍ）  ｏｆ  ｔｈｅ  ｒｅａｒ−ｓｔａｇｅ  ｍｅａｎｓ’．Ｂｕｔ  ｔｈｅ  ｖＣｍ  ｉｓ  ｔｈｅ  ｅｌｅｃｔｒｉｃ  ｐｏｔｅｎｔｉａｌ  ｏｆ  ｔｈｅ ｐｏｗｅｒ  ｓｏｕｒｃｅ  ｌｉｎｅ（ＶＣｍ）．
Ｔｈｉｒｄｌｙ  ｃｏｎｎｅｃｔｉｎｇ  ａ  ｓｅｃｏｎｄ  ｒｅｓｉｓｔｏｒ  ｔｏ  ｔｈｅ  ｏｕｔｐｕｔ  ｔｅｒｍｉｎａｌ  ｏｆ  ｔｈｅ  ｒｅａｒ−ｓｔａｇｅ  ｍｅａｎｓ  ｓｏ  ｔｈａｔ  ｔｈｅ  ｓｅｃｏｎｄ  ｒｅｓｉｓｔｏｒ  ｍａｙ  ｐｕｌｌ  ‘ｔｈｅ  ｏｕｔｐｕｔ  ｅｌｅｃｔｒｉｃ  ｐｏｔｅｎｔｉａｌ  ｏｆ  ｔｈｅ  ｒｅａｒ−ｓｔａｇｅ  ｍｅａｎｓ’  ｕｐ  ｏｒ  ｄｏｗｎ  ｔｏ  ‘ｔｈｅ  ｓｐｅｃｉｆｉｃ  ｃｏｎｓｔａｎｔ  ｅｌｅｃｔｒｉｃ  ｐｏｔｅｎｔｉａｌ（ｖｍ）  ｏｆ  ｔｈｅ  ｐｒｅｓｔａｇｅ  ｍｅａｎｓ’．Ｂｕｔ  ｔｈｅ  ｖｍ  ｉｓ  ｔｈｅ  ｅｌｅｃｔｒｉｃ  ｐｏｔｅｎｔｉａｌ  ｏｆ  ｔｈｅ ｐｏｗｅｒ  ｓｏｕｒｃｅ  ｌｉｎｅ（Ｖｍ）．
■■  効    果  ■■  これで等価的に多値ＥＶＥＮ手段一段から多値ＮＯＴ二段接続手段へ変更し、特定整数をｍからＣｍへ変更できるので、多値回路を等価的に変形する時に便利（例：図２１から図１３の多値論理完全回路）。また、同じ特定整数ｍの多値ＮＯＴ手段２つを接続した普通の多値ＮＯＴ二段接続手段（図２）と違い、電源に掛かる負荷の分散又は集中の選択肢が増えて便利。
◆◇ｅｆｆｅｃｔｓ◇◆
Ｂｙ  ｔｈｉｓ  ｃｏｎｓｔｉｔｕｔｉｏｎ，ｂｅｃａｕｓｅ  ｗｅ  ｃａｎ  ｅｑｕｉｖａｌｅｎｔｌｙ  ｃｈａｎｇｅ  ｆｒｏｍ  ａ  ｍｕｌｔｉｖａｌｕｅ  ＥＶＥＮ−ｌｏｇｉｃ  ｏｎｅ−ｓｔａｇｅ  ｍｅａｎｓ  ｔｏ  ａ  ｍｕｌｔｉｖａｌｕｅ  ＮＯＴ−ｌｏｇｉｃ  ｔｗｏ−ｓｔａｇｅ  ｃｏｎｎｅｃｔｉｏｎ  ｍｅａｎｓ，ａｎｄ  ｃａｎ  ｓｉｍｕｌｔａｎｅｏｕｓｌｙ  ｃｈａｎｇｅ  ｔｈｅ  ｓｐｅｃｉｆｉｃ ｉｎｔｅｇｅｒ  ｖａｌｕｅ  ｆｒｏｍ  ‘ｍ’  ｔｏ  ‘Ｃｍ’，ｔｈｅ  ｌａｔｔｅｒ  ｍｅａｎｓ（＝ｔｈｅ  ｉｎｖｅｎｔｉｏｎ）  ｉｓ  ｃｏｎｖｅｎｉｅｎｔ  ｗｈｅｎ  ｅｑｕｉｖａｌｅｎｔｌｙ  ｃｈａｎｇｉｎｇ  ｆｒｏｍ  ａ  ｍｕｌｔｉｖａｌｕｅ  ｃｉｒｃｕｉｔ  ｔｏ  ａｎｏｔｈｅｒ  ｏｎｅ．
Ｆｏｒ  ｅｘａｍｐｌｅ，ｗｈｅｎ  ｅｑｕｉｖａｌｅｎｔｌｙ  ｃｈａｎｇｉｎｇ  ｆｒｏｍ  ‘ａ  ｍｕｌｔｉｖａｌｕｅ  ｌｏｇｉｃ  “ｃｏｍｐｌｅｔｅｎｅｓｓ  ｏｆ  ｃｏｍｐｌｅｔｅｎｅｓｓ”  ｃｉｒｃｕｉｔ  ｉｎ  ｆｉｇ．２１’  ｔｏ  ‘ｔｈａｔ  ｉｎ  ｆｉｇ．１３’．
Ａｎｄ  ｔｈｅ  ｌａｔｔｅｒ  ｍｅａｎｓ  ｉｓ  ｃｏｎｖｅｎｉｅｎｔ  ｔｏ  ｉｎｃｒｅａｓｅ  ｔｈｅ  ｃｈｏｉｃｅ−ｒａｎｇｅ  ｏｆ  ‘ｄｉｓｐｅｒｓｉｏｎ  ｏｒ  ｃｏｎｃｅｎｔｒａｔｉｏｎ’  ｏｆ  ｌｏａｄｓ  ｏｎ  ｔｈｅ  ｐｏｗｅｒ−ｓｏｕｒｃｅｓ  ｃｏｎｎｅｃｔｅｄ  ｗｉｔｈ  ｔｈｅ  ａｂｏｖｅ  ｍｕｌｔｉｖａｌｕｅ  ｃｉｒｃｕｉｔｓ，ｄｉｆｆｅｒｅｎｔｌｙ  ｆｒｏｍ  ａ  ｎｏｒｍａｌ  ｍｕｌｔｉｖａｌｕｅ  ＮＯＴ−ｌｏｇｉｃ  ｔｗｏ−ｓｔａｇｅ  ｃｏｎｎｅｃｔｉｏｎ  ｍｅａｎｓ（ｆｉｇ．２）  ｆｏｒ  ｅａｃｈ  ｏｆ  ｉｔｓ  ｔｗｏ  ＮＯＴ−ｌｏｇｉｃ  ｍｅａｎｓ  ｔｏ  ｈａｖｅ  ｔｈｅ  ｓａｍｅ  ｓｐｅｃｉｆｉｃ ｉｎｔｅｇｅｒ  ｖａｌｕｅ‘ｍ’．
■■■  技術分野  ■■■
第１〜第４発明は「日本生まれの新多値論理、『フージ代数（Ｈｏｏｊｉ  ａｌｇｅｂｒａ）』に基づく電位モード（または電圧モード）の多値論理手段（又は多値論理回路）」を２個組み合わせた多値論理二段接続手段に関する。
◆◆ｔｅｃｈｎｉｃａｌ  ｆｉｅｌｄ◆◆
◆Ｅａｃｈ  ｏｆ  ｔｈｅ  １ｓｔ〜４ｔｈ  ｉｎｖｅｎｔｉｏｎ  ｉｓ  ｗｉｔｈ  ｒｅｇａｒｄ  ｔｏ  ａ  ｍｕｌｔｉｖａｌｕｅ  ｌｏｇｉｃ  ｔｗｏ−ｓｔａｇｅ  ｃｏｎｎｅｃｔｉｏｎ  ｍｅａｎｓ  ｗｈｉｃｈ  ｉｓ  ｃｏｍｐｒｉｓｉｎｇ  ‘ｔｗｏ  ｍｕｌｔｉｖａｌｕｅ  ｌｏｇｉｃ  “ｍｅａｎｓ  ｏｒ  ｃｉｒｃｕｉｔｓ”  ｃｏｎｎｅｃｔｅｄ  ｉｎ  ｆｒｏｎｔ  ａｎｄ  ｒｅａｒ  ｔｗｏ  ｓｔａｇｅｓ  ｉｎ  ｓｅｒｉｅｓ’．
Ｔｈｅ  ｅａｃｈ  ｍｕｌｔｉｖａｌｕｅ  ｌｏｇｉｃ  ‘ｍｅａｎｓ  ｏｒ  ｃｉｒｃｕｉｔ’  ｉｓ  ｂｏｔｈ  ‘ｏｎ  ｔｈｅ  ｂａｓｉｓ  ｏｆ  ｔｈｅ  ｐｒｉｎｃｉｐｌｅｓ  ｏｆ  “Ｈｏｏｊｉ  ａｌｇｅｂｒａ”  ｗｈｉｃｈ  ｗａｓ  ｂｏｒｎ  ｉｎ  Ｊａｐａｎ’  ａｎｄ  ‘ｏｎ  ｔｈｅ  ｂａｓｉｓ  ｏｆ  ｅｌｅｃｔｒｉｃ  ｐｏｔｅｎｔｉａｌ  ｍｏｄｅ  ｏｒ  ｖｏｌｔａｇｅ  ｍｏｄｅ’．
それらのモードを説明すれば、先ず第１に電位モードでは複数個の所定電位のそれぞれと複数個の所定の整数のそれぞれが１対１ずつ対応すると定義され、次に電圧モードでは複数個の所定電圧のそれぞれと複数個の所定の整数のそれぞれが１対１ずつ対応すると定義される。
Ｅｘｐｌａｉｎｉｎｇ  ｔｈｅｉｒ  ｍｏｄｅ，ｆｉｒｓｔ  ａｎｄ  ｆｏｒｅｍｏｓｔ，ｉｎ  ｔｈｅ  ｅｌｅｃｔｒｉｃ  ｐｏｔｅｎｔｉａｌ  ｍｏｄｅ  ｉｔ’ｓ  ｄｅｆｉｎｅｄ  ｔｈａｔ  ｅａｃｈ  ｏｆ  ｐｌｕｒａｌ  ｆｉｘｅｄ  ｅｌｅｃｔｒｉｃ  ｐｏｔｅｎｔｉａｌｓ  ｉｓ  ｏｎｅ  ｂｙ  ｏｎｅ  ｃｏｒｒｅｓｐｏｎｄ  ｔｏ  ｅａｃｈ  ｏｆ  ｐｌｕｒａｌ  ｆｉｘｅｄ  ｉｎｔｅｇｒａｌ  ｎｕｍｂｅｒｓ．
Ｓｅｃｏｎｄｌｙ，ｉｎ  ｔｈｅ  ｖｏｌｔａｇｅ  ｍｏｄｅ  ｉｔ’ｓ  ｄｅｆｉｎｅｄ  ｔｈａｔ  ｅａｃｈ  ｏｆ  ｆｉｘｅｄ  ｐｌｕｒａｌ  ｖｏｌｔａｇｅｓ  ｉｓ  ｏｎｅ  ｂｙ  ｏｎｅ  ｃｏｒｒｅｓｐｏｎｄ  ｔｏ  ｅａｃｈ  ｏｆ  ｆｉｘｅｄ  ｐｌｕｒａｌ  ｉｎｔｅｇｒａｌ  ｎｕｍｂｅｒｓ．
例えば、第１発明の多値ＮＯＴ二段接続手段を「多値ＡＮＤ回路などの完全系を使って、その多値数Ｎに関係無く、すべての多値論理回路（又は多値論理手段）を表現・構成することができる多値論理完全回路（例：図２１。）」に適用すると、その多値論理完全回路を等価的に変形した「多値ＮＯＲ回路などの完全系を使う多値論理完全回路（例：図１３。）」を構成することができる。この事は多値論理完全回路を構成するときに、使用する基本・多値論理回路（例：多値ＡＮＤ回路、多値ＯＲ回路など。）の選択肢が増えて便利になることを意味し、この場合、多値ＡＮＤ回路などを用いても良いし、多値ＮＯＲ回路などを用いても良いことを意味する。
●なお、『多値論理完全回路』とは『１種類〜数種類の基本・多値論理回路だけ（→完全系。）で全ての多値論理回路を表現・構成できる』という特徴、『完全性（＝Ｃｏｍｐｌｅｔｅｎｅｓｓ）』を持つ回路のことであり、本発明者はそういう意味で『多値論理完全回路』という用語を用いている。
●また、未（ま）だ広く知られていない『フージ代数（Ｈｏｏｊｉ  ａｌｇｅｂｒａ）』の原則と「フージ代数に基づいた各種の多値論理回路」の技術、および、「特許文献７の『同期ラッチング機能を持つ多値論理手段と多値ハザード除去手段』」の技術等を本発明の説明において技術常識と同様に扱うことができる様に、念の為それら原則・技術などを段落番号［００４９〜０１１２］、段落番号［０１１３〜０２３７］において本発明者はそれぞれ説明する。
特に、「フージ代数に基づく多値論理完全回路」に関して段落番号［００８３〜００９６］においてそれぞれ本発明者は詳細に説明するが、それに関しては既に下記特許文献６〜７で開示されている。ただし、「フージ代数」という名前の使用は特許文献６からである。
【特許文献１】特開２００４−０３２７０２号（新・多値論理『フージ代数』に基づく多値論理回路）
【特許文献２】特開２００５−１９８２２６号（新・多値論理『フージ代数』に基づく多値論理回路）
【特許文献３】特開２００５−２３６９８５号（新・多値論理『フージ代数』に基づく多値論理回路）
【特許文献４】特許第５３６３５１１号（特開２０１１−０９７６３７号を大幅に補正、新・多値論理『フージ代数』に基づく多値論理回路）、特許文献２の分割。
【特許文献５】特開２０１１−２２９０６９（多値ハザード消去回路）
【特許文献６】特開２０１２−０３４３４５号（多値ハザード除去回路）  →→  特許文献６中の図１０、図１２の各多値論理完全回路。
【特許文献７】特開２０１２−０７５０８４号（同期ラッチング機能を持つ多値論理手段と多値ハザード除去回路）  →→  特許文献７中の図１２、図１４の各多値論理完全回路。
【非特許文献１】『よくわかるディジタル電子回路』、ｐ．９の１４行目〜ｐ．１０の１行目の『完全系』。著者：関根慶太郎、（株）オーム社が平成９年７月２５日発行。
【非特許文献２】『論理回路入門』、ｐ．３１の『（８）完全系』。著者：浜辺隆二、森北出版（株）が２００１年９月２８日発行。
【非特許文献３】『多値情報処理  ―ポストバイナリエレクトロニクス―』、ｐ．１６〜ｐ．１７の『完全性、完全系、完全』に関する記載内容。著者：樋口龍雄・亀山充隆（みちたか）、昭晃堂（しょうこうどう）が１９８９年６月に発行。